(57)【要約】【課題】釣合い錘後落ちレイアウトあるいは釣合い錘横落ちレイアウトの展望用エレベータにおいて、設置が容易であり、かつ、展望窓から外の景観を確保する。【解決手段】展望窓（７）を有する展望用エレベータの釣合い錘装置であって、釣合い錘枠は、展望窓の幅に相当する空間を隔てて分割配置された第１の釣合い錘枠（１ａ）と第２の釣合い錘枠（１ｂ）とで構成され、釣合い錘は、第１の釣合い錘枠で囲まれた第１の釣合い錘（２ａ）と、第２の釣合い錘枠で囲まれた第２の釣合い錘（２ｂ）とで構成されることで分割配置され、第１の釣合い錘の昇降動作を案内する第１のガイドレール（９ａ）と、第２の釣合い錘の昇降動作を案内する第２のガイドレール（９ｂ）は、それぞれ１本のガイドレールとして構成されている。【選択図】図１
2015229547.tif 000002
【特許請求の範囲】
【請求項１】
乗場扉が設けられる面と反対側の面に展望面を有する昇降路内で、展望面と対向する面に展望窓を有したかごと昇降路との間の空間を釣合い錘枠で囲まれた釣合い錘が昇降する釣合い錘後落ちレイアウトまたは釣合い錘横落ちレイアウトを採用する際に適用される展望用エレベータの釣合い錘装置であって、
釣合い錘枠は、展望窓の幅に相当する空間を隔てて分割配置された第１の釣合い錘枠と第２の釣合い錘枠とで構成され、
釣合い錘は、第１の釣合い錘枠で囲まれた第１の釣合い錘と、第２の釣合い錘枠で囲まれた第２の釣合い錘とで構成されることで分割配置され、
第１の釣合い錘枠で囲まれた第１の釣合い錘の昇降動作を案内する第１のガイドレールと、第２の釣合い錘枠で囲まれた第２の釣合い錘の昇降動作を案内する第２のガイドレールは、それぞれ１本のガイドレールとして構成されている
展望用エレベータの釣合い錘装置。
【請求項２】
請求項１に記載の展望用エレベータの釣合い錘装置において、
かごの展望窓は、釣合い錘横落ちレイアウトを採用することで、展望面と対向する面とともに、対向する面に隣接する側面に設けられている
展望用エレベータの釣合い錘装置。
【請求項３】
請求項１または２に記載の展望用エレベータの釣合い錘装置において、
第１の釣合い錘枠の上枠に取り付けられた第１の吊り車と、
第２の釣合い錘枠の上枠に取り付けられた第２の吊り車と、
第１の吊り車および第２の吊り車に跨って巻き掛けられる巻上げロープと
を備える展望用エレベータの釣合い錘装置。
【請求項４】
請求項１または２に記載の展望用エレベータの釣合い錘装置において、
第１の釣合い錘枠の上枠に取り付けられ、第１の巻上げロープが接続される第１のロープシャックルと、
第１の釣合い錘枠の上枠に取り付けられ、第２の巻上げロープが接続される第２のロープシャックルと
を備える展望用エレベータの釣合い錘装置。
【請求項５】
請求項３または４に記載の展望用エレベータの釣合い錘装置において、
第１の釣合い錘枠の下枠に取り付けられた第１の釣合いロープと、
第２の釣合い錘枠の下枠に取り付けられた第２の釣合いロープと
を備える展望用エレベータの釣合い錘装置。
【発明の詳細な説明】
【技術分野】
【０００１】
本発明は、ガラス張りなどの展望面を有する昇降路内で、展望窓を有した展望用エレベータの錘後落ちレイアウトあるいは錘横落ちレイアウトに対して、かご内から外の景観を確保することのできる展望用エレベータの釣合い錘装置に関する。
【背景技術】
【０００２】
従来における展望用エレベータは、主に正面壁（かご扉が設けられる面と反対側の壁に相当）に展望窓を有することから、釣合い錘は、横落ちレイアウトとしていることが多い。しかしながら、釣合い錘がかごの横側に配置されてしまう弊害として、同一の昇降路サイズに対して正面壁幅（間口寸法）が小さくなってしまうといった問題点がある。このため、釣合い錘後落ちレイアウトが必要となっている。
【０００３】
しかしながら、釣合い錘後落ちレイアウトにすると、釣合い錘および釣合い錘周辺機器が、正面壁の展望窓から見え、視界を遮ってしまうといった問題点がある。このことから、釣合い錘が見えないように、釣合い錘を昇降させるための昇降路を地下に配置した構造が提案されている（例えば、特許文献１参照）。
【先行技術文献】
【特許文献】
【０００４】
【特許文献１】実開昭５９−４６９６５号公報
【発明の概要】
【発明が解決しようとする課題】
【０００５】
しかしながら、従来技術には、以下のような課題がある。
特許文献１においては、釣合い錘の昇降路を地下に設置することが必要である。このため、建築工事側に与える影響が非常に大きく、釣合い錘側のピット周辺機器へのアクセスが困難であり、費用も相当掛かってしまうといった課題がある。
【０００６】
また、展望窓は、正面壁ばかりでなく、正面壁に隣接する側面壁にも設ける用途もあり、このような正面壁と側面壁の両方の展望窓からの景観も確保することが望まれる。すなわち、釣合い錘後落ちレイアウトばかりでなく、釣合い錘横落ちレイアウトの展望用エレベータに対しても、景観確保が重要となる。
【０００７】
本発明は、このような課題を解決するためになされたものであり、釣合い錘後落ちレイアウトあるいは釣合い錘横落ちレイアウトの展望用エレベータにおいて、設置が容易であり、かつ、展望窓から外の景観を確保することのできる展望用エレベータの釣合い錘装置を得ることを目的とする。
【課題を解決するための手段】
【０００８】
本発明に係る展望用エレベータの釣合い錘装置は、乗場扉が設けられる面と反対側の面に展望面を有する昇降路内で、展望面と対向する面に展望窓を有したかごと昇降路との間の空間を釣合い錘枠で囲まれた釣合い錘が昇降する釣合い錘後落ちレイアウトまたは釣合い錘横落ちレイアウトを採用する際に適用される展望用エレベータの釣合い錘装置であって、釣合い錘枠は、展望窓の幅に相当する空間を隔てて分割配置された第１の釣合い錘枠と第２の釣合い錘枠とで構成され、釣合い錘は、第１の釣合い錘枠で囲まれた第１の釣合い錘と、第２の釣合い錘枠で囲まれた第２の釣合い錘とで構成されることで分割配置され、第１の釣合い錘枠で囲まれた第１の釣合い錘の昇降動作を案内する第１のガイドレールと、第２の釣合い錘枠で囲まれた第２の釣合い錘の昇降動作を案内する第２のガイドレールは、それぞれ１本のガイドレールとして構成されているものである。
【発明の効果】
【０００９】
本発明によれば、展望窓の幅に相当する空間を隔てて釣合い錘装置を２分割配置するとともに、それぞれの釣合い錘枠を１本のガイドレールで案内する構成を備えることにより、釣合い錘後落ちレイアウトあるいは釣合い錘横落ちレイアウトの展望用エレベータにおいて、設置が容易であり、かつ、展望窓から外の景観を確保することのできる展望用エレベータの釣合い錘装置を得ることができる。
【図面の簡単な説明】
【００１０】
【図１】本発明の実施の形態１に係る展望用エレベータの釣合い錘装置の構造を示した図である。
【図２】本発明の実施の形態１に係る展望用エレベータの釣合い錘装置の設置例を示す断面図である。
【図３】本発明の実施の形態１に係る展望用エレベータの釣合い錘装置の設置例を示す斜視図である。
【図４】本発明の実施の形態２に係る展望用エレベータの釣合い錘装置の構造を示す図である。
【図５】本発明の実施の形態２に係る展望用エレベータの釣合い錘装置の設置例を示す斜視図である。
【図６】本発明の実施の形態２に係る展望用エレベータの釣合い錘装置において、乗場から見たときの正面図である。
【図７】本発明の実施の形態３に係る展望用エレベータの釣合い錘装置の設置例を示す断面図である。
【図８】本発明の実施の形態３に係る展望用エレベータの釣合い錘装置の設置例を示す斜視図である。
【図９】本発明の実施の形態３に係る展望用エレベータの釣合い錘装置の別の設置例を示す斜視図である。
【図１０】従来のエレベータ釣合い錘装置の構造を示す図である。
【図１１】従来のエレベータ釣合い錘装置の設置例を示した断面図である。
【発明を実施するための形態】
【００１１】
以下、本発明の展望用エレベータの釣合い錘装置の好適な実施の形態につき図面を用いて説明する。
本発明に係る展望用エレベータの釣合い錘装置は、展望窓の幅に相当する空間を隔てて釣合い錘装置を２分割配置するとともに、それぞれの釣合い錘を１本のガイドレールで案内することで昇降動作させる構成を備えることを技術的特徴とするものである。
【００１２】
実施の形態１．
まず始めに、本願発明と従来技術との違いをより明確とするために、錘後落ちレイアウトにおける従来のエレベータ釣合い錘装置について、図面を用いて説明する。図１０は、従来のエレベータ釣合い錘装置の構造を示す図である。図１０に示す従来のエレベータ釣合い錘装置は、釣合い錘枠１、釣合い錘２、巻上ロープ３、吊り車４、および釣合いロープ５を含んで構成されている。
【００１３】
図１１は、従来のエレベータ釣合い錘装置の設置例を示した断面図である。図１１に示すように、釣合い錘装置６がかご内の展望窓７と、ガラス張りなどの展望面を有する昇降路８との間を遮っていることが分かる。すなわち、従来の釣合い錘後落ちレイアウトにおいては、横落ちレイアウトの場合と比較して、同一の昇降路サイズに対して正面壁幅（間口寸法）を、より広く確保することができる。しかしながら、その一方で、釣合い錘２および釣合い錘周辺機器が、正面壁の展望窓７から見えてしまい、視界を遮ってしまうこととなっていた。
【００１４】
そこで、次に、かご室正面壁に設置された展望窓７から外の景観を確保することのできる本発明に係る展望用エレベータの釣合い錘装置について、図面を用いて説明する。図１は、本発明の実施の形態１に係る展望用エレベータの釣合い錘装置の構造を示した図である。
【００１５】
図１に示す本実施の形態１の展望用エレベータの釣合い錘装置は、第１の釣合い錘枠１ａ、第２の釣合い錘枠１ｂ、第１の釣合い錘２ａ、第２の釣合い錘２ｂ、巻上ロープ３、第１の吊り車４ａ、第２の吊り車４ｂ、第１の釣合いロープ５ａ、および第２の釣合いロープ５ｂを含んで構成されている。
【００１６】
ここで、第１の釣合い錘枠１ａおよび第１の釣合い錘２ａは、第１の釣合い錘装置６ａに相当し、第２の釣合い錘枠１ｂおよび第２の釣合い錘２ｂは、第２の釣合い錘装置６ｂに相当する。
【００１７】
基本的には、従来技術を示した先の図１０と同様の構成要素を備えている。ただし、本実施の形態１における展望用エレベータ釣合い錘装置は、釣合い錘枠１を備えた釣合い錘２が、左右で２分割されており、それぞれ、添字ａ、ｂを付して区別している。すなわち、第１の釣合い錘装置６ａと第２の釣合い錘装置６ｂが、展望窓幅に相当する空間を隔てて分割配置されている。
【００１８】
そして、本実施の形態１における展望用エレベータの釣合い錘装置は、釣合い錘枠１を備えた釣合い錘２を２分割配置することで、展望窓幅に相当する空間を中央部に確保している点を第１の技術的特徴としている。なお、分割数は、２に限定されず、３以上に分割することも可能である。
【００１９】
図２は、本発明の実施の形態１に係る展望用エレベータの釣合い錘装置の設置例を示す断面図である。また、図３は、本発明の実施の形態１に係る展望用エレベータの釣合い錘装置の設置例を示す斜視図である。左右に２分割配置された釣合い錘装置６ａ、６ｂの中央部の空間を利用することで、かご内の展望窓７およびガラス張りなどの展望面を有する昇降路８を通した外観の視界を遮らないようにしている。
【００２０】
すなわち、かごの昇降時に釣合い錘装置６ａ、６ｂとすれ違うときにも、第１の吊り車４ａ、第２の吊り車４ｂ、および巻上ロープ３が視界を遮ることなく、第１の釣合い錘２ａと第２の釣合い錘２ｂとの間の空間から、外の景観を確保することができる。
【００２１】
また、図１に示したように、釣合いロープ５は、第１の釣合いロープ５ａと第２の釣合いロープ５ｂに分けられ、それぞれが第１の釣合い錘２ａと第２の釣合い錘２ｂの下枠に取り付けられている。このため、かごの昇降時に釣合い錘装置６ａ、６ｂとすれ違うときにも、釣合いロープ５ａ、５ｂが視界を遮ることなく、第１の釣合いロープ５ａと第２の釣合いロープ５ｂとの間の空間から、外の景観を確保することができる。
【００２２】
そして、本発明では、さらに、２つに分割された釣合い錘枠１ａ、１ｂのそれぞれの昇降動作を案内する釣合い錘側ガイドレール９ａ、９ｂを、π型、もしくは、Ｈ型やＴ型として、それぞれ１本のガイドレールで案内する構成としており、この点を第２の技術的特徴としている。
【００２３】
図２、図３では、釣合い錘装置を、６ａ、６ｂが２つに分割され、さらに、それぞれの釣合い錘装置６ａ、６ｂを、それぞれ１本のπ型のガイドレール９ａ、９ｂで案内する構成を例示している。このようにして、釣合い錘装置６ａ、６ｂを左右両側に分けて配置したことで、かご内の展望窓７およびガラス張りなどの展望面を有する昇降路８を通した外観の視界を遮らないようにしている。
【００２４】
さらに、釣合い錘２ａ、２ｂを２分割することで、それぞれの釣合い錘２ａ、２ｂを小さくすることができる。また、それぞれの釣合い錘２ａ、２ｂにおいて、両側に２本のガイドレールを設置せずに、１本のπ型レールを配置する構成とすることで、釣合い錘機器の幅をさらに縮小できる。この結果、展望窓幅以外の場所に、釣合い錘装置を、６ａ、６ｂを設置するスペースを容易に確保することが可能となる。
【００２５】
以上のように、実施の形態１によれば、展望窓の幅に相当する空間を隔てて釣合い錘装置を２分割配置するとともに、それぞれの釣合い錘枠を１本のガイドレールで案内する構成を備えている。この結果、釣合い錘後落ちレイアウトを採用した際に、正面壁幅を確保した上で、かご室正面壁に設置された展望窓から外の景観を確保することのでき、かつ、釣合い錘装置の設置スペースを容易に確保することのできる展望用エレベータの釣合い錘装置を実現できる。
【００２６】
実施の形態２．
先の実施の形態１では、第１の吊り車４ａ、第２の吊り車４ｂを用いた展望用エレベータの釣合い錘装置について説明した。これに対して、本実施の形態２では、第１の吊り車４ａ、第２の吊り車４ｂを用いない構成により、正面壁幅を確保した上で、かご室正面壁に設置された展望窓７から外の景観を確保することのできる展望用エレベータの釣合い錘装置を実現する場合について説明する。
【００２７】
図４は、本発明の実施の形態２に係る展望用エレベータの釣合い錘装置の構造を示す図である。また、図５は、本発明の実施の形態２に係る展望用エレベータの釣合い錘装置の設置例を示す斜視図である。吊り車４を介さない１：１ローピングの展望用エレベータ釣合い錘では、この図４に示すように、第１の吊り車４ａおよび第２の吊り車４ｂの代わりに、第１のロープシャックル１０ａおよび第２のロープシャックル１０ｂを適用する。
【００２８】
このような構成を採用する図４の場合にも、先の図１と同様に、釣合い錘２を２分割配置することで、展望窓幅に相当する空間を中央部に有していることを、共通の技術的特徴としている。さらに、それぞれの釣合い錘枠１ａ、１ｂを、１本のガイドレールで案内する構成を備える点も、先の実施の形態１と共通の技術的特徴としている。
【００２９】
この結果、先の実施の形態１と同様に、かご内の展望窓７およびガラス張りなどの展望面を有する昇降路８を通した外観の視界を遮らないようにすることができる。すなわち、かごの昇降時に釣合い錘装置とすれ違うときにも、第１のロープシャックル１０ａと接続された第１の巻上ロープ３ａおよび第２のロープシャックル１０ｂと接続された第２の巻上ロープ３ｂが視界を遮ることなく、第１の釣合い錘２ａと第２の釣合い錘２ｂとの間の空間から、外の景観を確保することができる。
【００３０】
さらに、先の実施の形態１と同様に、２分割配置された第１の釣合い錘枠１ａと第２の釣合い錘枠１ｂは、それぞれ１本のガイドレール９ａ、９ｂでされている。この結果、釣合い錘装置６ａ、６ｂの小型化を図ることができ、設置スペースを容易に確保することができる。
【００３１】
図６は、本発明の実施の形態２に係る展望用エレベータの釣合い錘装置において、乗場から見たときの正面図である。乗場からは、釣合い錘装置６ａ、６ｂに関連するすべての機器が見えなくなり、ガラス張りなどの展望面を有する昇降路８を、２分割された釣合い錘２ａ、２ｂによって遮ることがない。この結果、かごがいない乗場からの外の景観を確保することができる。なお、このような、乗場からの景観確保は、先の実施の形態１においても、同様の効果が得られる。
【００３２】
以上のように、実施の形態２によれば、吊り車の代わりにロープシャックルを用いる場合にも、釣合い錘を２分割して展望窓の左右に分散配置できる構成を採用することができる。さらに、２分割配置された釣合い錘を支える釣合い錘枠を、それぞれ１本のガイドレールで案内できる構成を採用している。この結果、先の実施の形態１と同様に、釣合い錘後落ちレイアウトを採用した際に、正面壁幅を確保した上で、かご室正面壁に設置された展望窓から外の景観を確保することのでき、かつ、釣合い錘装置の設置スペースを容易に確保することのできる展望用エレベータの釣合い錘装置を実現できる。
【００３３】
実施の形態３．
先の実施の形態１、２では、釣合い錘後落ちレイアウトを採用し、正面壁に展望窓を設ける際に、本願発明を適用する場合について説明した。これに対して、本実施の形態３では、釣合い錘横落ちレイアウトを採用し、かごの正面壁ばかりでなく、正面壁に隣接する側面壁にも展望窓を設ける際に、本願発明を適用する場合について説明する。
【００３４】
図７は、本発明の実施の形態３に係る展望用エレベータの釣合い錘装置の設置例を示す断面図である。また、図８は、本発明の実施の形態３に係る展望用エレベータの釣合い錘装置の設置例を示す斜視図である。図７、図８に示すように、１本のガイドレール９ａ、９ｂによって案内されるそれぞれの釣合い錘装置６ａ、６ｂは、側面壁側に設けられている。
【００３５】
このような構成を採用することで、正面壁および隣接する側面壁を展望窓とした場合にも、釣合い錘装置６ａ、６ｂが視界を遮ることがなくなる。すなわち、本発明の技術的特徴を備えた釣合い錘装置６ａ、６ｂは、釣合い錘横落ちレイアウトに対しても、容易に対応することができる。
【００３６】
図９は、本発明の実施の形態３に係る展望用エレベータの釣合い錘装置の別の設置例を示す斜視図である。本発明の釣合い錘装置６は、図９に示すように、釣合い錘後落ちレイアウトに対応した釣合い錘装置６ａ１と、釣合い錘横落ちレイアウトに対応した釣合い錘装置６ａ２を併用することも可能である。この結果、設置スペースに応じて適切な配置を行うことができ、レイアウト設計の自由度が増すこととなる。
【００３７】
以上のように、実施の形態３によれば、釣合い錘を２分割し、かつ、両側に２本のガイドレールを設置せずに１本のガイドレールを配置した構成を、釣合い錘横落ちレイアウトに採用している。この結果、設置スペースの小さな昇降路への対応が可能となり、エレベータ昇降路前方の両側に釣合い錘を配置できる。さらに、釣合い錘を横落ちとすることで、かご内の前方３方向の展望窓付の展望用エレベータにも対応が可能となり、良好な視界を確保することが可能となる。
【符号の説明】
【００３８】
１ａ  第１の釣合い錘枠、１ｂ  第２の釣合い錘枠、２ａ  第１の錘、２ｂ  第２の錘、３  巻上ロープ、３ａ  第１の巻上ロープ、３ｂ  第２の巻上ロープ、４ａ  第１の車、４ｂ  第２の車、５ａ  第１の釣合いロープ、５ｂ  第２の釣合いロープ、６ａ  第１の釣合い錘装置、６ａ１、６ａ２  釣合い錘装置、６ｂ  第２の釣合い錘装置、７  展望窓、８  昇降路、９ａ、９ｂ  ガイドレール、１０ａ  第１のロープシャックル、１０ｂ  第２のロープシャックル。
【図１】
2015229547.tif 000003
【図２】
2015229547.tif 000004
【図３】
2015229547.tif 000005
【図４】
2015229547.tif 000006
【図５】
2015229547.tif 000007
【図６】
2015229547.tif 000008
【図７】
2015229547.tif 000009
【図８】
2015229547.tif 000010
【図９】
2015229547.tif 000011
【図１０】
2015229547.tif 000012
【図１１】
2015229547.tif 000013